(57)【特許請求の範囲】
【請求項１】
設置壁に設置される装置本体には、垂下状態の浄水カートリッジの横方向に向かって突出形成された入口プラグ及び出口プラグに接離可能に対応するように横方向に延びる入口側接続部及び出口側接続部を備え、前記装置本体に上下方向に回動可能に支持された操作レバーの一端部の操作部の操作により操作レバーの他端部に形成されたカム及び浄水カートリッジの上部に形成されたカムを介して、垂下状態の浄水カートリッジを両プラグと両接続部との接続位置に保持するようにした浄水カートリッジ装着装置において、
前記操作レバーを浄水カートリッジの保持位置にロックするためのロック機構を設け、前記ロック機構を操作レバーよりも前記設置壁側の位置においてその操作レバーに係脱可能な係止爪から構成し、その係止爪の先端の解除操作部を保持位置の操作レバーから前記設置壁の反対側の外方へ突出しないように構成したことを特徴とする浄水カートリッジ装着装置。
【請求項２】
前記操作レバーには膨らみ部が設けられ、その膨らみ部にて係止爪が外方へ突出しないように覆われることを特徴とする請求項１に記載の浄水カートリッジ装着装置。
【請求項３】
前記操作レバーの膨らみ部は操作部を兼用していることを特徴とする請求項２に記載の浄水カートリッジ装着装置。
【発明の詳細な説明】
【０００１】
【発明の属する技術分野】
この発明は、水を浄化するための浄水カートリッジを脱着交換可能に装着するようにした浄水カートリッジ装着装置に関するものである。
【０００２】
【従来の技術】
従来のこの種の浄水カートリッジ装着装置としては、例えば特開２０００−１２６７５８号（特願平１０−３０５４９１号）公報に開示されるような構成のものが知られている。この従来装置においては、浄水カートリッジの入口プラグ及び出口プラグに接離可能に対応するように、装置本体に入口側接続部及び出口側接続部が設けられている。
【０００３】
装置本体には操作レバーが回動可能に取り付けられ、その操作レバーには両プラグに係合可能な保持レバーが回動可能に支持されている。そして、浄水カートリッジの両プラグを装置本体の両接続部に接続させた状態で、保持レバーを両プラグに対する係合位置に回動させるとともに、操作レバーを保持位置に回動させる。このことにより、浄水カートリッジが接続状態に保持されるようになっている。
【０００４】
【発明が解決しようとする課題】
ところが、この従来の浄水カートリッジ装着装置においては、浄水カートリッジを装置本体に対して脱着交換する際に、一方の手で浄水カートリッジを把持するとともに、他方の手で操作レバー及び保持レバーを回動操作しなければならない。このため、浄水カートリッジの脱着交換に両手操作を必要として、操作が面倒であるという問題があった。
【０００５】
特に、アンダーシンクタイプやディスペンサー装着タイプの浄水カートリッジでは、浄水カートリッジが他の邪魔にならないように、シンクやディスペンサーの奥の方に設置される。このため、浄水カートリッジの脱着交換を両手操作で行うのは非常に困難であった。
【０００６】
この発明は、このような従来の技術に存在する問題点に着目してなされたものである。その目的は、浄水カートリッジの脱着交換を片手操作にて容易に行うことができる浄水カートリッジ装着装置を提供することにある。
【０００７】
【課題を解決するための手段】
上記の目的を達成するために、請求項１に記載の発明は、浄水カートリッジの蓋体の上面に縦方向に突出して形成された入り口パイプ及び出口パイプの上端に横方向に突出して形成された入口プラグ及び出口プラグに対して、接離可能に対応する入口側接続孔及び出口側接続孔が横方向に延びるように形成され、操作レバーの操作により前記入り口パイプ及び出口パイプの外面に形成されたカムと操作レバーに形成されたカムとが係合して、前記入口プラグ及び出口プラグを前記入口側接続孔及び出口側接続孔の内側に向かって押圧移動させ、浄水カートリッジを両プラグと両接続孔との接続位置に保持するようにした浄水カートリッジ装着装置において、
前記操作レバーを浄水カートリッジの保持位置にロックするための操作レバーに係脱可能な係止爪からなるロック機構を設け、また、前記装置本体上に配設された取付板の両側板部の前方に突設された一対の取付部のうち内側に位置する取付部間に支軸を介して回動可能に支持された係止爪が、外側に位置する取付部間に支軸を介して回動可能に取り付けられた操作レバーを保持位置にロックする際、回動して上方の保持位置に至った操作レバーの透孔内に挿通された係止爪は、その上方が操作レバーにより覆われて操作レバーから外方へ突出しないように構成されていることを特徴とするものである。
【０００８】
従って、この請求項１に記載の発明によれば、係止爪が操作レバーの解除位置に誤って操作されて、浄水カートリッジが不用意に接続保持状態から解放されるのを防止することができる。
【０００９】
請求項２に記載の発明は、請求項１に記載の発明において、前記操作レバーには膨らみ部が設けられ、その膨らみ部にて係止爪が外方へ突出しないように覆われることを特徴とするものである。
従って、この請求項２に記載の発明によれば、操作レバーの構造が簡単であるとともに、係止爪が外方へ突出しないように覆うことができる。
【００１０】
請求項３に記載の発明は、請求項２に記載の発明において、前記操作レバーの膨らみ部は操作部を兼用していることを特徴とするものである。
従って、この請求項３に記載の発明によれば、操作レバーに係止爪の覆い部を特別に設ける必要がなく、操作レバーの構造を一層簡略化することができる。
【００２４】
【発明の実施の形態】
以下に、この発明の一実施形態を、図面に基づいて説明する。
図１〜図３に示すように、浄水カートリッジ装着装置の装置本体１１は金属により一体に形成されている。装置本体１１の上面には入口側接続パイプ１２及び出口側接続パイプ１３が突設され、それらの外周にはネジ部１２ａ，１３ａが形成されている。装置本体１１の前面には入口側接続部としての入口側接続孔１４及び出口側接続部としての出口側接続孔１５が横方向へ延びるように形成され、前記入口側接続パイプ１２及び出口側接続パイプ１３にそれぞれ連通されている。両接続孔１４，１５内には前面に複数の突片１６ａ，１７ａを突設した止水弁１６，１７が移動可能に配設され、バネ１８により各接続パイプ１２，１３と各接続孔１４，１５との間の流路を閉鎖する位置に移動付勢されている。
【００２５】
前記装置本体１１上には鉄板よりなる正面形ほぼ逆チャンネル状の取付板１９が配設され、その水平板部には一対のパイプ挿通孔１９ａが形成されるとともに、両側板部の前方には一対の取付部１９ｂ，１９ｃが突設されている。取付板１９の上面には鉄板よりなる側面形ほぼＬ字状の支持板２０が配設され、その水平板部には一対のパイプ挿通孔２０ａが形成されるとともに、垂直板部には一対のネジ挿通孔２０ｂが形成されている。
【００２６】
そして、取付板１９及び支持板２０のパイプ挿通孔１９ａ，２０ａに装置本体１１上の両接続パイプ１２，１３が挿通された状態で、それらの外周のネジ部１２ａ，１３ａにナット２１が螺合されることにより、取付板１９及び支持板２０が装置本体１１上に固定されている。また、この状態で支持板２０のネジ挿通孔２０ｂを介して、シンクやディスペンサー内の設置壁２２にネジ２３を螺合することにより、装置本体１１がシンクやディスペンサー内に設置される。さらに、装置本体１１上の入口側接続パイプ１２には原水を導入するための導入パイプ２４が接続されるとともに、出口側接続パイプ１３には浄化水を導出するための導出パイプ２５が接続されるようになっている。
【００２７】
なお、前記装置本体１１に対する取付板１９及び支持板２０の組み付け固定に際しては、図１に実線及び鎖線で示すように、支持板２０の垂直板部が上向きになった状態と、下向きになった状態とに選択的に組み付けることができる。これにより、装置本体１１の設置箇所に応じて、設置壁２２に対する支持板２０のネジ止め位置を変更することができて、設置状態の装置本体１１の下方に後述する浄水カートリッジ２６を装着するための所定の空間を確保することができる。
【００２８】
図１、図２及び図４に示すように、前記装置本体１１には浄水カートリッジ２６が脱着交換可能に装着されるようになっている。この浄水カートリッジ２６は、アルミニウムにより有底円筒状に形成された外ケース２７と、その外ケース２７内に着脱可能に収容されるとともにナット２８により収容状態に締め付け保持されたカートリッジ本体２９とより構成されている。カートリッジ本体２９は、有底円筒状をなす合成樹脂製の容器３０と、その容器３０の上端開口部に嵌着された合成樹脂製の蓋体３１とから構成され、容器３０の内部には図示しない活性炭フィルタ等の濾材が収容されている。
【００２９】
前記蓋体３１の上面には入口パイプ３２及び出口パイプ３３が縦方向に向かって突設されている。入口パイプ３２及び出口パイプ３３の上端には入口プラグ３４及び出口プラグ３５が横方向に向かって突出形成され、それらの先端外周にはシールリング３６が嵌着されている。入口パイプ３２及び出口パイプ３３の外面には複数のリブ３７が縦方向及び横方向に延びるように突出形成され、その一部には円弧状のカム部３７ａが形成されている。
【００３０】
そして、図１に示すように、この浄水カートリッジ２６の入口プラグ３４及び出口プラグ３５が装置本体１１の入口側接続孔１４及び出口側接続孔１５に挿入接続されることにより、浄水カートリッジ２６が装置本体１１に対して垂下状態で装着される。この場合、各プラグ３４，３５の挿入により、各接続孔１４，１５内の止水弁１６，１７がバネ１８の付勢力に抗して、接続孔１４，１５の内側に向かって押圧移動され、各接続パイプ１２，１３と各接続孔１４，１５との間の流路が開放されるようになっている。
【００３１】
図１〜図３に示すように、前記装置本体１１上の取付板１９の取付部１９ｂ間には合成樹脂製の操作レバー３８が支軸３９を介して回動可能に取り付けられ、その先端には透孔３８ａ及び操作部を兼用する膨らみ部３８ｂが形成されている。操作レバー３８の基端内面には一対の突条４０が形成され、それらの端部には円弧状のカム部４１が形成されている。
【００３２】
そして、装置本体１１の各接続孔１４，１５に浄水カートリッジ２６の各プラグ３４，３５が挿入接続された状態で、操作レバー３８が図５及び図６に示す下方の解放位置から図１に示す上方の保持位置に回動操作されたとき、両カム部４１が両パイプ３２，３３上のカム部３７ａにそれぞれ係合される。この係合により、両プラグ３４，３５が両接続孔１４，１５に対する挿入接続位置に向かって押圧され、浄水カートリッジ２６が装置本体１１に対する装着状態に保持されるようになっている。
【００３３】
前記装置本体１１上には、操作レバー３８を上方の保持位置にロックするためのロック機構４２が操作レバー３８と近接して設けられている。すなわち、取付板１９の取付部１９ｃ間には鉄板よりなる係止爪４３が支軸４４を介して回動可能に支持され、その両側に一対の爪部４３ａが形成されるとともに、先端には解除操作部４３ｂが突設されている。両爪部４３ａの先端には、斜状のカム面４３ｃがそれぞれ形成されている。取付板１９の取付部１９ｃ間にはロッド４５が架設され、このロッド４５と係止爪４３との間にはバネ４６が掛装されている。そして、このバネ４６の付勢力により、係止爪４３が図５及び図６の時計方向に回動付勢されて、ロッド４５と係合する位置に規制保持されるようになっている。
【００３４】
また、この状態で操作レバー３８が下方の開放位置から上方の保持位置に回動されたとき、図１に示すように、操作レバー３８の突条４０がロッド４５に係合して、操作レバー３８の回動が規制される。それとともに、係止爪４３の爪部４３ａが操作レバー３８の透孔３８ａの開口縁に係合されて、操作レバー３８が保持位置にロックされる。さらに、この状態においては、係止爪４３の解除操作部４３ｂが操作レバー３８の透孔３８ａ内に挿通され、その上方が操作レバー３８の膨らみ部３８ｂにより覆われるようになっている。
【００３５】
図１〜図４に示すように、前記装置本体１１上には、浄水カートリッジ２６を装着する際の操作レバー３８の操作に先立って、浄水カートリッジ２６を仮止めするための仮止め機構４７が設けられている。すなわち、装置本体１１の下部中央には挿入溝４８が形成され、その上部両側には仮止め機構４７を構成する一対の支持部４９が設けられている。この挿入溝４８及び支持部４９と係脱可能に対応するように、浄水カートリッジ２６の蓋体３１の上面には断面形ほぼＴ字状の係合部５０が突出形成されている。そして、図５に示すように、浄水カートリッジ２６の両プラグ３４，３５が装置本体１１の両接続孔１４，１５に挿入接続される際に、この係合部５０が前記挿入溝４８及び支持部４９に係合されるようになっている。
【００３６】
なお、前記ロッド４５は、係止爪４３のストッパを兼用し、係止爪４３を透孔３８ａの開口縁に係合可能な位置に保持する。
前記操作レバー３８に設けられた一対のカム部４１は、仮止め機構４７の押え部を兼用し、浄水カートリッジ２６を挟んで支持部４９と反対側に位置している。そして、図５に示すように、装置本体１１の両接続孔１４，１５に対する浄水カートリッジ２６の両プラグ３４，３５の挿入接続時に、この押え部を兼用するカム部４１が両パイプ３２，３３上のカム部３７ａに係合される。この係合により、前記支持部４９と係合部５０との係合と協働して、浄水カートリッジ２６が装置本体１１に対し、両プラグ３４，３５を両接続孔１４，１５に接続可能に対応させた状態で仮止め保持されるようになっている。
【００３７】
なお、前記仮止め機構４７の係合部５０，前記挿入溝４８及び支持部４９は、装置本体１１に対する浄水カートリッジ２６の着脱を案内する機能をも有している。
【００３８】
次に、前記のように構成された浄水カートリッジ装着装置について作用を説明する。
さて、図１に示す状態では、浄水カートリッジ２６の両プラグ３４，３５が装置本体１１の両接続孔１４，１５に接続され、操作レバー３８が上方の保持位置に回動されて、カム部４１とカム部３７ａとの係合により、浄水カートリッジ２６が接続位置に保持されている。この状態では、ロック機構４２の係止爪４３が操作レバー３８に係合されて、操作レバー３８が保持位置にロックされている。また、両接続孔１４，１５内の止水弁１６，１７は流路の開放位置に移動されている。
【００３９】
この状態で、導出パイプ２５に接続された図示しない蛇口等が開放されると、導入パイプ２４から装置本体１１の入口側接続パイプ１２を介して入口側接続孔１４内に原水が供給される。その原水は入口プラグ３４及び入口パイプ３２を介して浄水カートリッジ２６内に導入され、その浄水カートリッジ２６内に収容された図示しない濾材により、原水に含まれる不純物が濾過されて浄化される。そして、浄化された水は、出口パイプ３３及び出口プラグ３５を介して装置本体１１の出口側接続孔１５内に導かれた後、出口側接続パイプ１３を介して導出パイプ２５に導出され、前記蛇口等から放出される。
【００４０】
このように、原水の浄化が繰り返し長期間にわたって行われて、浄水カートリッジ２６内の濾材の濾過効果が低下した場合には、その濾材をカートリッジ本体２９とともに交換する必要がある。
【００４１】
この場合には、図１に示す状態から、ロック機構４２の係止爪４３を解除操作部４３ｂにより、バネ４６の付勢力に抗して反時計方向に回動操作すると、爪部４３ａが操作レバー３８の透孔３８ａとの係合状態から解除される。その後、操作レバー３８を上方の保持位置から下方の解放位置に回動させると、図５に示すように、カム部４１によるカム部３７ａの押圧が解放される。この押圧解放により、両接続孔１４，１５内の止水弁１６，１７がバネ１８の付勢力により流路の閉鎖位置に復帰移動されるとともに、両プラグ３４，３５が両接続孔１４，１５から押し出される。
【００４２】
この状態においては、図５に示すように、仮止め機構４７の支持部４９に係合部５０が係合支持されるとともに、押え部としてのカム部４１がカム部３７ａに接触係合して、浄水カートリッジ２６が装置本体１１に対して仮止め状態に保持されている。
【００４３】
従って、片手にて前記係止爪４３を解除操作するとともに、操作レバー３８を下方の解放位置に回動操作した後、その同じ手で浄水カートリッジ２６を把持して、図６に示すように、浄水カートリッジ２６の両プラグ３４，３５を装置本体１１の両接続孔１４，１５から抜き取ることができる。
【００４４】
このように、浄水カートリッジ２６を装置本体１１から取り外した後、ナット２８を緩めて外ケース２７内から使用済みのカートリッジ本体２９を取り出し、その使用済みのカートリッジ本体２９を新しいカートリッジ本体２９と脱着交換する。よって、浄水カートリッジ２６の交換時に、アルミニウム製の外ケース２７をそのまま使用することができて、交換コストの低減を図ることができる。
【００４５】
そして、新しいカートリッジ本体２９を収容した浄水カートリッジ２６を装置本体１１に装着する場合には、前記取り外し時とほぼ逆順に操作する。すなわち、図６に示すように、浄水カートリッジ２６を片手で把持して、装置本体１１の前面に下方から接近させ、両パイプ３２，３３を解放位置の操作レバー３８と両接続孔１４，１５との間に挿入する。すると、図５に示すように、浄水カートリッジ２６上の係合部５０が仮止め機構４７の支持部４９に係合支持されるとともに、両パイプ３２，３３上のカム部３７ａが操作レバー３８のカム部４１に接触係合して、浄水カートリッジ２６が仮止め状態に保持される。
【００４６】
その後、同一の手で操作レバー３８を下方の解放位置から上方の保持位置に回動操作する。このようにすると、図１に示すように、カム部４１とカム部３７ａとの係合により、浄水カートリッジ２６が図５の左方に移動される。このため、浄水カートリッジ２６の両プラグ３４，３５が装置本体１１の両接続孔１４，１５に挿入接続されて、その接続状態に保持される。この接続により、両接続孔１４，１５内の止水弁１６，１７が流路の開放位置に移動される。また、ロック機構４２の係止爪４３のカム面４３ｃと操作レバー３８の透孔３８ａの開口縁と係合により係止爪４３がバネ４６のバネ力に抗して上方に逃げる。次いで、係止爪４３がバネ４６のバネ力により操作レバー３８の透孔３８ａの開口縁に係合して、その操作レバー３８が保持位置にロックされる。
【００４７】
この状態では、図１に示すように、係止爪４３の解除操作部４３ｂが操作レバー３８の膨らみ部３８ｂにより覆われている。このため、係止爪４３の解除操作部４３ｂが誤って解除方向に操作されるおそれはなく、操作レバー３８がロック状態から不用意に解除されて、浄水カートリッジ２６が接続保持状態から解放されるのを防止することができる。
【００４８】
従って、この実施形態によれば、以下のような効果を得ることができる。
（１）  この浄水カートリッジ装着装置においては、浄水カートリッジ２６の入口プラグ３４及び出口プラグ３５に横向きで接離可能に対応するように、装置本体１１に入口側接続孔１４及び出口側接続孔１５が設けられている。装置本体１１には操作レバー３８が回動可能に配設され、その操作レバー３８の操作によりカム部４１を介して、浄水カートリッジ２６が両プラグ３４，３５と両接続孔１４，１５との接続位置に保持されるようになっている。装置本体１１には操作レバー３８に近接してロック機構４２が設けられ、そのロック機構４２により、操作レバー３８が浄水カートリッジ２６の保持位置にロックされるようになっている。
【００４９】
このため、浄水カートリッジ２６の脱着交換時に、浄水カートリッジ２６の把持と操作レバー３８の回動操作とを片手にて容易に行うことができる。よって、特にアンダーシンクタイプやディスペンサー装着タイプの浄水カートリッジ２６のように、浄水カートリッジ２６がシンクやディスペンサーの奥の方に設置される場合には、浄水カートリッジ２６の脱着交換を片手操作にて至極簡単に行うことができる。また、両接続部に対する両プラグ３４，３５の接続方向が横向きになっているため、それらの接続状態で浄水カートリッジ２６の荷重が接続部分に掛かるのを抑制することもできる。
【００５０】
（２）  この浄水カートリッジ装着装置においては、前記操作レバー３８が下方の解放位置から上方の保持位置に回動操作されるようになっている。このため、浄水カートリッジ２６の装着時に、一方の手で浄水カートリッジ２６を把持して両プラグ３４，３５を両接続孔１４，１５に接続させた後、その手を上方に移動させて操作レバー３８を容易に回動操作することができる。
【００５１】
（３）  この浄水カートリッジ装着装置においては、前記ロック機構４２が装置本体１１上に操作レバー３８と係脱可能に設けられた係止爪４３から構成されている。このため、ロック機構４２の構造が簡単であるとともに、操作レバー３８を浄水カートリッジ２６の保持位置に確実にロックすることができる。
【００５２】
（４）  この浄水カートリッジ装着装置においては、前記操作レバー３８に操作部を兼用する膨らみ部３８ｂが設けられ、その膨らみ部３８ｂにて係止爪４３の解除操作部４３ｂが外方へ突出しないように覆われている。
【００５３】
このため、係止爪４３が操作レバー３８の解除位置に誤って操作されて、浄水カートリッジ２６が不用意に接続保持状態から解放されるのを防止することができる。従って、例えば、ディスペンサーの紙コップ等を交換する際に、作業者が誤って係止爪４３に触れたりすることを抑制でき、浄水カートリッジ２６が不本意に外れるようなことを防止できる。また、操作レバー３８の膨らみ部３８ｂが操作部を兼用しているため、操作レバー３８に係止爪４３の覆い部を特別に設ける必要がなく、操作レバー３８の構造を簡略化することもできる。
【００５４】
（５）  この浄水カートリッジ装着装置においては、前記浄水カートリッジ２６を装着する際の操作レバー３８の操作に先立って、浄水カートリッジ２６を両プラグ３４，３５が両接続孔１４，１５に接続可能に対応した位置に仮止めするための仮止め機構４７が設けられている。このため、浄水カートリッジ２６の脱着交換時に、浄水カートリッジ２６を仮止め状態に一時的に保持することができて、その脱着交換を片手操作にて一層容易に行うことができる。
【００５５】
（６）  この浄水カートリッジ装着装置においては、前記仮止め機構４７が、浄水カートリッジ２６上の係合部５０に係合可能に対応するように装置本体１１に設けられた支持部４９と、両プラグ３４，３５に係合可能に対応するように操作レバー３８に設けられたカム部４１を兼用する押え部とより構成されている。このため、仮止め機構４７の構造が簡単であるとともに、浄水カートリッジ２６を仮止め状態に確実に保持することができる。また、操作レバー３８のカム部４１が押え部を兼用しているため、装置本体１１上に押え部を特別に設ける必要がなく、構造の簡略化を図ることもできる。さらに、仮止め機構４７が浄水カートリッジ２６の着脱の案内機能をも有しているため、浄水カートリッジ２６の着脱が片手操作であっても、その着脱を簡単かつスムーズに実行できる。
【００５６】
（変更例）
なお、この実施形態は、次のように変更して具体化することも可能である。
・  前記実施形態では、操作レバー３８が上下方向に回動操作されるようになっている。これに対し、操作レバー３８が左右方向に回動操作されて解除位置と保持位置とに切り換え配置されるように構成すること。このように構成しても、前記実施形態と同様な作用効果を得ることができる。
【００５７】
・  前記実施形態では、ロック機構４２が回動可能な係止爪４３から構成されているが、例えば係止位置と、解放位置とに変形可能なバネ材により構成すること。このように構成すれば、部品点数が少なくなり、構成が簡単になる。
【００５８】
・  前記実施形態では、仮止め機構４７が設けられているが、この仮止め機構４７を省略すること。このように構成すれば、部品点数が少なくなり、構成が簡単になる。
【００５９】
・  前記実施形態では、浄水カートリッジ２６の外ケース２７がカートリッジ本体２９に対して着脱可能に構成されている。これに対し、外ケース２７をカートリッジ本体２９の外周に嵌着固定して、カートリッジ本体２９を外ケース２７とともに脱着交換するようにしてもよい。
【００６０】
【発明の効果】
以上、実施形態で例示したように、この発明においては、浄水カートリッジの脱着交換を片手操作にて容易に行うことができると共に、係止爪が操作レバーの解除位置に誤って操作されて、浄水カートリッジが不用意に接続保持状態から解放されるのを防止することができるという優れた効果を発揮する。
【図面の簡単な説明】
【図１】  一実施形態の浄水カートリッジ装着装置を示す断面図。
【図２】  図１の２−２線における部分断面図。
【図３】  浄水カートリッジの取り外し状態を示す装着装置の斜視図。
【図４】  浄水カートリッジを示す斜視図。
【図５】  装着装置に対する浄水カートリッジの仮止め状態を示す部分断面図。
【図６】  装着装置から浄水カートリッジを取り外した状態を示す部分断面図。
【符号の説明】
１１…装置本体、１４…入口側接続部としての入口側接続孔、１５…出口側接続部としての出口側接続孔、１９…取付板、２０…支持板、２２…設置壁、２６…浄水カートリッジ、２９…カートリッジ本体、３４…入口プラグ、３５…出口プラグ、３７ｂ…カム部、３８…操作レバー、３８ｂ…操作部を兼用する膨らみ部、４１…仮止め機構の押え部を兼用するカム部、４２…ロック機構、４３…係止爪、４３ａ…爪部、４３ｂ…解除操作部、４７…仮止め機構、４９…支持部、５０…係合部。
【図１】
0004181766.tif 000002
【図２】
0004181766.tif 000003
【図３】
0004181766.tif 000004
【図４】
0004181766.tif 000005
【図５】
0004181766.tif 000006
【図６】
0004181766.tif 000007